(57)【要約】【課題】  ランプおよびＣＰＵ制御される発光ダイオードとを備えた、例えば車両のインストルメントパネル全体の点灯／消灯タイミングを揃えることができる照明制御装置を提供する。【解決手段】  第１照明機器（ランプ等の非ＣＰＵ制御部品）およびコンピュータ制御（ＣＰＵ制御）される第２照明機器（発光ダイオード等のＣＰＵ制御部品）へのバッテリからの電力供給をオン・オフする点灯制御手段（例えばパワーリレー）と、前記第１照明機器および第２照明機器にそれぞれ供給する電力量を制御してその発光強度を調整する調光手段と、更に照明スイッチのオン・オフに応じて前記点灯制御手段および前記調光手段の作動を制御して前記第１照明機器と第２照明機器との点灯／消灯タイミングを揃えるタイミング調整手段（ＣＰＵ）とを備える。【選択図】      図１
2005235702.tif 000002
【特許請求の範囲】
【請求項１】
バッテリから電力が供給されて点灯駆動される第１照明機器と、
上記バッテリからの電力を受けてコンピュータ制御により点灯駆動される第２照明機器と、
前記第１照明機器および第２照明機器への前記バッテリからの電力供給をオン・オフ制御する点灯制御手段と、
前記バッテリから前記第１照明機器および第２照明機器にそれぞれ供給する電力量を制御してそれらの発光強度を調整する調光手段と、
照明スイッチのオン・オフに応じて前記点灯制御手段および前記調光手段の作動を制御して前記ランプと照明系との点灯／消灯タイミングを揃えるタイミング調整手段と
を具備したことを特徴とする照明制御装置。
【請求項２】
前記タイミング調整手段は、前記第１照明機器と前記第２照明機器とを点灯させるときには、前記調光手段を作動させた後に前記点灯制御手段をオン動作させるものである請求項１に記載の照明制御装置。
【請求項３】
前記タイミング調整手段は、前記第１照明機器と前記第２照明機器とを消灯させるときには、前記照明スイッチのオフ時には前記点灯制御手段をオフ動作させた後に前記調光手段の作動を停止させるものである請求項１に記載の照明制御装置。
【請求項４】
前記調光手段は、前記第１照明機器および第２照明機器にそれぞれ供給する電力を所定の周期でスイッチングしてそれらの供給電力量を調整するものである請求項１に記載の照明制御装置。
【請求項５】
前記タイミング調整手段は、前記第１照明機器と前記第２照明機器とを点灯させるときには、前記第１照明機器と前記第２照明機器との発光強度が略最小となるように前記調光手段を作動させ、その後、前記点灯制御手段をオン動作させて前記第１照明機器および前記第２照明機器に電力を供給した後に前記調光手段の作動を前記第１照明機器と前記第２照明機器との発光強度が目的値まで上昇するように制御するものである請求項１に記載の照明制御装置。
【請求項６】
前記タイミング調整手段は、前記第１照明機器と前記第２照明機器とを消灯させるときには、前記第１照明機器と前記第２照明機器との発光強度が略最小となるように前記調光手段を作動させた後に前記点灯制御手段をオフ動作させるものである請求項１に記載の照明制御装置。
【請求項７】
前記点灯制御手段、調光手段およびタイミング調整手段は、前記第２照明機器の点灯を制御する第２照明機器制御手段が有する機能として実現されるものである請求項１に記載の照明制御装置。
【発明の詳細な説明】
【技術分野】
【０００１】
本発明は、例えば車両におけるインストルメントパネルに設けられたメータディスプレイおよび各種アクセリー機器の照明を、タイミングを揃えて点灯／消灯するに好適な照明制御装置に関する。
【背景技術】
【０００２】
車両のインストルメントパネルには、車速やエンジン回転数等を表示する為のメータディスプレイ（いわゆるコンビネーションメータ）のみならず、空調機（Ａ／Ｃ）やオーディオ機器等のアクセサリー機器の操作パネルが設けられる。またこれらのメータディスプレイやアクセサリー機器の操作パネルには、専ら、夜間照明用の照明装置がそれぞれ組み込まれており、通常、コラムスイッチの操作によりオン／オフ（点灯／消灯）制御される（例えば特許文献１を参照）。またチョッパ回路を用いて上記照明装置に供給する電力をスイッチングして、その照度を調整することも行われている。
【特許文献１】特開平１０−５９０６６号公報
【発明の開示】
【発明が解決しようとする課題】
【０００３】
しかしながら上述した照明装置の中には、コンビネーションメータやオーディオ機器のように、その照明系自体（例えば発光ダイオード等のバックライト）がコンピュータ制御されているものと、Ａ／Ｃパネルに組み込まれたランプ（バルブ）のように単にパワーリレーを介して電力供給が制御されてオン／オフされるものとが混在する。この為、コラムスイッチの操作により上記照明系の点灯／消灯（オン／オフ）を指示しても、コンピュータ制御されている照明系（ＣＰＵ制御部品）と、ランプ等の非ＣＰＵ制御照明部品との点灯／消灯タイミングにずれが生じ易い。
【０００４】
例えばＣＰＵ制御部品においては、バックライトとして用いられる発光ダイオード自体の応答速度は速いものの、ＣＰＵ自体がコラムスイッチのオン／オフを検出して上記発光ダイオードをオン／オフするまでに時間が掛かる。これに対して非ＣＰＵ制御照明部品であるランプ（バルブ）の場合には、電力供給のオン／オフに対する反応が鈍く、安定した発光状態に至るまでに時間が掛かる。更には調光器（レオスタット）を用いて照度を切り換えるような場合、上記調光器の起動にも時間が掛かる。このような調光器や各照明部品の反応遅れの違いに起因して、例えばその点灯時にインストルメントパネルの一部の照明部品だけが一瞬明るく点灯したように見える等の違和感を与えるような場合がある。
【０００５】
そこで従来一般的には、ＣＰＵを内蔵したＣＰＵ制御照明部品に対しては遅延時間を設定してその照明系（発光ダイオード）のオン／オフタイミングを調整するようにしている。しかし非ＣＰＵ制御照明部品に対しては、そのオン／オフタイミングを遅延制御することが困難である。これ故、ＣＰＵ制御照明部品と非ＣＰＵ制御照明部品とが混在するインストルメントパネル全体の照明タイミングを揃えることが困難であった。
【０００６】
本発明はこのような事情を考慮してなされたもので、その目的は、ＣＰＵ制御照明部品と非ＣＰＵ制御照明部品とが混在する、例えば車両のインストルメントパネルに配設されている複数の照明機器の点灯／消灯タイミングを揃えることができる簡易で実用性の高い構成の照明制御装置を提供することにある。
【課題を解決するための手段】
【０００７】
上述した目的を達成するべく本発明に係る照明制御装置は、ＣＰＵ制御照明部品と非ＣＰＵ制御照明部品とが混在する、例えば車両のインストルメントパネル全体の照明を一元管理するようにしたもので、請求項に記載するように
<ａ>  バッテリからの電力を受けて点灯駆動される第１照明機器（バルブ等の非ＣＰＵ制御部品）と、
<ｂ>  上記バッテリからの電力を受けてコンピュータ制御（ＣＰＵ制御）されて点灯駆動される第２照明機器（ＣＰＵ制御部品）と、
<ｃ>  前記第１照明機器および第２照明機器への前記バッテリからの電力供給をオン・オフ制御する点灯制御手段（例えばパワーリレー）と、
<ｄ>  前記バッテリから前記第１照明機器および第２照明機器にそれぞれ供給する電力量を制御してその発光強度を調整する調光手段（レオスタット等のスイッチング手段）と、
<ｅ>  照明スイッチのオン・オフに応じて前記点灯制御手段および前記調光手段の作動を制御して前記第１照明機器と前記第２照明機器との点灯／消灯タイミングを揃えるタイミング調整手段（ＣＰＵ）と
を具備したことを特徴としている。
【０００８】
好ましくは請求項２に記載するように前記タイミング調整手段は、前記第１照明機器と前記第２照明機器とを点灯させるときには、前記調光手段を作動させた後に前記点灯制御手段をオン動作させるものとして構成される。また請求項３に記載するように前記タイミング調整手段は、前記第１照明機器と前記第２照明機器とを消灯させるときには、前記点灯制御手段をオフ動作させた後に前記調光手段の作動を停止させるように構成される。
【０００９】
ちなみに前記調光手段は、例えば請求項４に記載するように、前記第１照明機器および第２照明機器にそれぞれ供給する電力を所定の周期でスイッチングしてそれらの供給電力量を調整するものからなる。
このような調光手段を備える場合、請求項５に記載するように前記タイミング調整手段を、前記第１照明機器と前記第２照明機器とを点灯させるときには、前記第１照明機器と前記第２照明機器との発光強度が略最小となるように前記調光手段を作動させ、その後、前記点灯制御手段をオン動作させて前記第１照明機器および前記第２照明機器に電力を供給した後に前記調光手段の作動を前記第１照明機器と前記第２照明機器との発光強度が目的値まで上昇するように制御するものとして構成しても良い。
【００１０】
更には請求項６に記載するように前記タイミング調整手段においては、前記第１照明機器と前記第２照明機器とを消灯させるときには、前記第１照明機器と前記第２照明機器との発光強度が略最小となるように前記調光手段を作動させた後に前記点灯制御手段をオフ動作させるように構成しても良い。
また好ましくは前記点灯制御手段、調光手段およびタイミング調整手段を、前記第２照明機器の点灯を制御する第２照明機器制御手段が有する機能として実現することが望ましい。
【発明の効果】
【００１１】
上述した構成の照明制御装置によれば、第１照明機器（非ＣＰＵ制御部品）および第２照明機器（ＣＰＵ制御部品）への電力供給をオン・オフ制御する点灯制御手段、およびその供給電力量を制御してそれらの発光強度を調整する調光手段の各作動を、タイミング調整手段にてそれぞれ制御するので、例えば一般的に時間遅れを有する調光手段を立ち上げた後に、前記点灯制御手段を介して前記第１照明機器（非ＣＰＵ制御部品）および第２照明機器（ＣＰＵ制御部品）に対して一斉に電力を供給することができるので、これらの点灯タイミングを効果的に揃えることができる。また消灯時には前記点灯制御手段をオフ動作させることで、前記第１照明機器（非ＣＰＵ制御部品）および第２照明機器（ＣＰＵ制御部品）を一斉に消灯させた後、調光手段をオフ動作させるので、該調光手段と時間遅れに拘わることなくその消灯タイミングを揃えることができる。
【００１２】
また前記第１照明機器と第２照明機器とを点灯させるときには、前記第１照明機器と第２照明機器との発光強度が略最小となるように前記調光手段を作動させておき、その後、前記点灯制御手段をオン動作させて前記第１照明機器および第２照明機器に電力を供給した後に前記調光手段の作動を、前記第１照明機器と第２照明機器との発光強度が目的値まで上昇するように制御することで、前記調光手段の立ち上がり動作遅れに拘わることなく前記第１照明機器（非ＣＰＵ制御部品）および第２照明機器（ＣＰＵ制御部品）が所定の照明強度に至るタイミングを揃えることが可能となる。
【００１３】
また前記第１照明機器と第２照明機器とを消灯させるときには、前記第１照明機器と第２照明機器との各発光強度が略最小となるように前記調光手段の作動を制御した後に前記点灯制御手段をオフ動作させることで、前記第１照明機器（非ＣＰＵ制御部品）および第２照明機器（ＣＰＵ制御部品）を実質的に一斉に消灯状態に設定した後、その電力供給を停止させるので、電力供給の停止タイミングに拘わることなくその消灯タイミングを揃えることができる。
【００１４】
即ち、本発明に係る照明制御装置によれば、第１照明機器（非ＣＰＵ制御部品）と第２照明機器（ＣＰＵ制御部品）とが混在する場合であっても、上記第１照明機器および第２照明機器への電力供給をオン／オフ制御する点灯制御手段の作動と、その供給電力量を制御する前記調光手段の作動とを制御するので、動作遅れの違いに拘わることなく第１照明機器（非ＣＰＵ制御部品）の点灯／消灯タイミングと第２照明機器（ＣＰＵ制御部品）の点灯／消灯タイミングとを効果的に揃えることができる。しかもこれらの点灯／消灯タイミングを一元的に管理することができる等の効果が奏せられる。
【発明を実施するための最良の形態】
【００１５】
以下、図面を参照して本発明の実施形態に係る照明制御装置について説明する。
この照明制御装置は、例えば車両のインストルメントパネルに設けられたメータディスプレイ（いわゆるコンビネーションメータ）やオーディオ機器等に組み込まれてコンピュータ制御される発光ダイオード等の照明系（第２照明機器；ＣＰＵ制御部品）、また空調機（Ａ／Ｃ）の操作パネル等に設けられたランプ（第１照明機器；非ＣＰＵ制御部品）を、コラムスイッチのオン／オフ操作を受けて点灯／消灯制御するに好適なものである。
【００１６】
図１は第１の実施形態に係る照明制御装置の概略構成図で、１０はメータパネル、２０はＡ／Ｃパネル、３０はオーディオ機器、そして４０はナビゲーション情報等を表示するディスプレイ装置である。メータパネル１０は、基本的には図示しないバッテリからの電力供給（＋Ｂ）を受けて所定の内部電圧（Ｖcc）を生成する内部電源１１と、この内部電源１１からの電力供給を受けて動作するＣＰＵ１２と、このＣＰＵ１２からの指示を受けて車速やエンジン回転数等を表示するメータ１３とを備える。更にこのメータパネル１０は、前記ＣＰＵ１２からの制御信号を受けて導通動作するトランジスタ１４を介して、前記バッテリからの電力を受けて発光駆動されて該メータパネル１０を、例えばその裏面側から照明するバックライトとしての発光ダイオード（ＬＥＤ）１５を備える。
【００１７】
また上記オーディオ機器３０およびディスプレイ装置４０も前記バッテリからの電力供給を受けて所定の内部電圧を生成する内部電源３１,４１と、各内部電源３１,４１からの電力供給を受けて動作するＣＰＵ３２,４２とを備え、更にＣＰＵ３２,４２からの制御信号を受けて導通動作するトランジスタ３３,４３を介して、後述するように前記メータパネル１０から出力される照明駆動電圧（ＩＬＬ＋）を受けて発光駆動されてその操作パネルやディスプレイをその裏面側から照明するバックライトとしての発光ダイオード３４,４４を備える。
【００１８】
尚、図示しない切り換えスイッチや操作レバー等を設けた空調機制御用のＡ／Ｃパネル２０には、通常、そのパネル面等を照明するランプ（バルブ）２１が設けられており、また前記インストルメントパネルには、その他のランプ５０や発光ダイオード６０等の照明部品が設けられている。これらのランプ（バルブ）２１,５０および発光ダイオード６０は、前述した発光ダイオード３４,４４と同様に、前記メータパネル１０から出力される照明駆動電圧（ＩＬＬ＋）を受けて発光駆動されるようになっている。前述したメータパネル１０の発光ダイオード１５等を含むこれらの照明部品は、いわゆる室内イルミネーション系を構成する。
【００１９】
さて照明制御部１は、基本的には照明用のコラムスイッチ２のオン／オフを検出して、更には外光の明るさを検出して上述した室内イルミネーション系のオン／オフ（点灯／消灯）を制御するものであり、同時に車両本体部に設けられた車幅灯３のオン／オフ（点灯／消灯）も制御している。特に照明制御部１は、パワーリレー４を直接的にオン／オフすることで前記バッテリから車幅灯３への電力供給を制御し、これによって車幅灯３を点灯／消灯制御している。
【００２０】
しかし前述した室内イルミネーション系に対しては、上記照明制御部１は通信バス５を介して前述したメータパネル１０、オーディオ機器３０およびディスプレイ装置４０の各ＣＰＵ１２,３２,４２に対してそれぞれ点灯／消灯指令を与えるようになっている。そしてメータパネル１０に設けられたパワーリレー１６を、該メータパネル１０のＣＰＵ１２にてオン／オフ制御し、このパワーリレー１６を介して前記バッテリからの電力（＋Ｂ）を前述した照明駆動電圧（ＩＬＬ＋）としてＡ／Ｃパネル２０、オーディオ機器３０、ディスプレイ装置４０、その他のランプ（バルブ）５０および発光ダイオード６０にそれぞれ電力供給するように構成されている。
【００２１】
またメータパネル１０のＣＰＵ１２は、所定のデューティ比でオン／オフするＰＷＭ信号を生成しており、このＰＷＭ信号を用いて前述したトランジスタ１４をスイッチング駆動している。このトランジスタ１４のスイッチング制御により、該メータパネル１０の発光ダイオード１５が所定のデューティ比で点灯駆動され、その発光強度（明るさ）が調整される。
【００２２】
また同時に前記ＣＰＵ１２は上記ＰＷＭ信号を用いて外部出力制御用のトランジスタ１７をスイッチングしており、このトランジスタ１７を介して前記Ａ／Ｃパネル２０、オーディオ機器３０、ディスプレイ装置４０、その他のランプ（バルブ）５０および発光ダイオード６０に前述した照明駆動電圧（ＩＬＬ＋）と対をなす負側の照明駆動電圧（ＩＬＬ−）を供給している。換言すればＣＰＵ１２はトランジスタ１７をオン／オフ制御することで、Ａ／Ｃパネル２０、オーディオ機器３０、ディスプレイ装置４０、その他のランプ（バルブ）５０および発光ダイオード６０の接地ライン（ＩＬＬ−）を接地するか否かを制御している。
【００２３】
このような接地ライン（ＩＬＬ−）のオン／オフ制御により、前述したＡ／Ｃパネル２０の照明駆動電圧（ＩＬＬ＋）が印加されたランプ２１やその他のランプ５０が、所定のデューティ比で導通駆動されて、所定の明るさで点灯する。またオーディオ機器３０およびディスプレイ装置４０におけるＣＰＵ３２,４２は、前記トランジスタ１７のオン／オフに伴う接地ライン（ＩＬＬ−）の電圧変化を前述したＰＷＭ信号として取り込み、このＰＷＭ信号に従ってトランジスタ３４,４４をスイッチング駆動することで各発光ダイオード３４,４４をそれぞれ所定の明るさで発光駆動する。
【００２４】
尚、上述したようにトランジスタ１７を用いてＡ／Ｃパネル２０、オーディオ機器３０、ディスプレイ装置４０、その他のランプ（バルブ）５０および発光ダイオード６０に対する接地ライン（ＩＬＬ−）を一括して制御することに代えて、図２に示すように上記Ａ／Ｃパネル２０、オーディオ機器３０、ディスプレイ装置４０、その他のランプ（バルブ）５０および発光ダイオード６０毎に、その接地ラインを選択的に接地するトランジスタ１７ａ,１７ｂ,１７ｃ,１７ｄを個別に設け、これらの各トランジスタ１７ａ,１７ｂ,１７ｃ,１７ｄを前述したＣＰＵ１２が出力するＰＷＭ信号を用いてそれぞれスイッチング制御することも勿論可能である。
【００２５】
このようにメータパネル１０に組み込んだパワーリレー１６を介して前記Ａ／Ｃパネル２０、オーディオ機器３０、ディスプレイ装置４０、その他のランプ（バルブ）５０および発光ダイオード６０に対する照明駆動電源（ＩＬＬ＋）の供給をオン／オフ制御し（点灯制御手段）、またＰＷＭ信号を用いてその接地ライン（ＩＬＬ−）の接地をスイッチング制御する（調光手段）ように構成された照明制御装置において、この実施形態が特徴とするところは前記メータパネル１０に組み込まれたＣＰＵ１２の制御の下で、例えば図３(ａ)(ｂ)に示すように、点灯制御時には先ず前述した接地ライン（ＩＬＬ−）をスイッチング制御するＰＷＭ信号の出力を開始した後［ステップＳ１］、照明駆動電圧（ＩＬＬ＋）を出力するようにし［ステップＳ２］、一方、消灯制御時には先ず上記照明駆動電圧（ＩＬＬ＋）の供給を停止させた後［ステップＳ５］、前記ＰＷＭ信号（ＩＬＬ−）の出力を停止する［ステップＳ６］ようにした点にある。
【００２６】
このようにしてメータパネル１０から、前記Ａ／Ｃパネル２０、オーディオ機器３０、ディスプレイ装置４０、その他のランプ（バルブ）５０および発光ダイオード６０に対する照明駆動電源（ＩＬＬ＋）の供給とその接地ライン（ＩＬＬ−）のスイッチングとを制御するようにした照明制御装置によれば、オーディオ機器３０およびディスプレイ装置４０の各ＣＰＵ３２,４２が、メータパネル１０から与えられるＰＷＭ信号を検出し、所定の時間遅れを経てそのトランジスタ３３,４３をスイッチング動作させる準備が整った後に前述した照明駆動電源（ＩＬＬ＋）が一斉に供給されるので、ランプ２１,５０および発光ダイオード３４,４４,６０の点灯タイミングを揃えることが可能となる。この際、発光ダイオード３４,４４の点灯応答時間に比較してランプ２１が点灯するまでの応答時間に遅れがある場合には、例えばメータパネル１０、オーディオ機器３０およびディスプレイ装置４０の各ＣＰＵ１２,３２,４２においてトランジスタ１４,３３,４３のスイッチング動作開始タイミングをそれぞれ遅延制御することで、その点灯タイミングを調整することが容易である。従って簡易な調整だけで、その点灯タイミングを容易に揃えることができる。
【００２７】
また消灯時には、トランジスタ３３,４３がスイッチング動作していても、前述した照明駆動電源（ＩＬＬ＋）の供給を一斉に停止させるので、ランプ２１,５０および発光ダイオード３４,４４,６０の消灯タイミングを揃えることが可能となる。特にメータパネル１０においては、ＣＰＵ１２の制御の下で、パワーリレー１６のオフ動作と同時にトランジスタ１４のスイッチング駆動を停止させるだけで、その発光ダイオード１５の点灯を停止させることができる。従ってメータパネル１０、オーディオ機器３０およびディスプレイ装置４０の各ＣＰＵ１２,３２,４２が動作しているか否かに拘わることなく、全ての照明部品を一斉に消灯させることができる。
【００２８】
即ち、本発明に係る照明制御装置においては、ランプ（バルブ）２１のような非ＣＰＵ制御部品であるか、或いはＣＰＵ１２,３２,４２の制御の下で発光駆動される発光ダイオード１５,３４,４４のようなＣＰＵ制御部品であるかに拘わらず、これらの発光部品（ランプおよび発光ダイオード）に対する照明駆動電源（ＩＬＬ＋）の供給と、その発光強度を規定するＰＷＭ信号（ＩＬＬ−）の出力とをそれぞれ一斉にオン／オフ制御し、且つこれらのオン／オフ制御タイミングを前述したように順序付けしている。この結果、インストルメントパネルに設けたメータパネル１０やＡ／Ｃパネル２０等にそれぞれ組み込まれた上記各発光部品（ランプおよび発光ダイオード）を、その点灯／消灯タイミングを揃えて一斉に点灯／消灯することが可能となる。従ってコラムスイッチ２の操作に応じた違和感のないの照明制御が可能となる。
【００２９】
ところで前述したランプ２１,５０および発光ダイオード３４,４４,６０の点灯／消灯タイミングを正確に揃えることができない場合には、次のように制御することも有用である。即ち、この場合には、例えば図４(ａ)(ｂ)に示すように、点灯制御時には先ずデューティ比を０〜３％程度に設定したＰＷＭ信号（ＩＬＬ−）を出力し［ステップＳ１１］、その後、照明駆動電源（ＩＬＬ＋）を供給する［ステップＳ１２］。そしてランプ２１,５０および発光ダイオード３４,４４,６０を、その発光が視認できない程度の状態で発光駆動する。その後、前述したＰＷＭ信号（ＩＬＬ−）のデューティ比を、所望とする発光強度が得られるデューティ比まで徐々に高める［ステップＳ１３］。
【００３０】
このような制御形態を採用すれば、ランプ２１,５０および発光ダイオード３４,４４,６０の全てを微弱電流で駆動した後、その駆動電流を徐々に高めることで上記各照明部品（ランプおよび発光ダイオード）を所定の発光強度（明るさ）で発光させることが可能となる。従ってその発光タイミングにずれがあっても、実質的に視認可能な明るさとなるタイミングを揃えることが可能となり、点灯タイミングのバラツキを感じなくすることが可能となる。
【００３１】
また消灯時においては、先ずＰＷＭ信号（ＩＬＬ−）のデューティ比を０〜３％程度まで徐々に低減させた後［ステップＳ１５］、照明駆動電源（ＩＬＬ＋）の供給を停止する［ステップＳ１６］。その後、前記ＰＷＭ信号（ＩＬＬ−）の出力自体を停止させる［ステップＳ１７］。このようにしてその消灯を制御すれば、ランプ２１,５０および発光ダイオード３４,４４,６０の各駆動電流の全てがそれぞれ微弱電流まで低減されるので、これらの各発光状態を実質的に視認できない程度まで抑えることが可能となる。この結果、見掛け上、各照明部品(ランプおよび発光ダイオード)を一斉に消灯させ、その後、照明駆動電源（ＩＬＬ＋）の供給停止により完全に消灯することができる。故にその消灯タイミングのバラツキを、実質的になくすことができる。
【００３２】
尚、本発明は上述した実施形態に限定されるものではない。ここでは照明部品(ランプおよび発光ダイオード)に対する駆動電源（ＩＬＬ＋）の供給と、接地ライン（ＩＬＬ−）のスイッチングとをそれぞれ制御したが、上記駆動電源（ＩＬＬ＋）自体をスイッチングすることも勿論可能である。但し、この場合には高耐圧のスイッチング素子が必要となるので、部品コストの点からも前述した実施形態のように接地ライン（ＩＬＬ−）をスイッチングした方が有利である。また前述したＰＷＭ信号のデューティ比を可変することで、例えば外光の明るさに応じて発光部品の発光強度（明るさ）を多段階に制御することも勿論可能である。更には通信バス５を介してメータパネル１０、オーディオ機器３０およびディスプレイ装置４０の各ＣＰＵ１２,３２,４２に点灯／消灯タイミングの情報をそれぞれ個別に通知するようにしても良いことは言うまでもない。その他、本発明はその要旨を逸脱しない範囲で種々変形して実施することができる。
【図面の簡単な説明】
【００３３】
【図１】本発明の第１の実施形態に係る照明制御装置の概略構成図。
【図２】本発明の第２の実施形態に係る照明制御装置の概略構成図。
【図３】本発明に係る照明制御の手順を示す図。
【図４】本発明に係る照明制御の別の手順を示す図。
【符号の説明】
【００３４】
２  コラムスイッチ
１０  メータパネル
１２  ＣＰＵ
１４  トランジスタ
１５  発光ダイオード
１６  パワーリレー
１７  トランジスタ（ＰＷＭ信号）
２０  Ａ／Ｃパネル
２１  ランプ（バルブ）
３０  オーディオ機器
３２  ＣＰＵ
３３  トランジスタ
３４  発光ダイオード
４０  ディスプレイ装置
４２  ＣＰＵ
４３  トランジスタ
４４  発光ダイオード
【図１】
2005235702.tif 000003
【図２】
2005235702.tif 000004
【図３】
2005235702.tif 000005
【図４】
2005235702.tif 000006